(57)【要約】      （修正有）【課題】部品コストおよび組立コストを低減しつつ、ロースター扉の開閉時の騒音の発生を抑制した加熱調理器を提供する。【解決手段】加熱調理器は、前面開口部を有し、加熱室３１を形成するロースター筐体３２と、ロースター筐体３２の前面開口部の開閉を行うロースター扉３３と、加熱室３１内を加熱する加熱手段と、加熱室３１内に収納される受け皿と、ロースター扉３３と連動し、受け皿３４を保持する受け皿保持部材と、前後方向に貫通した孔部を有する一対の摺動ガイドと、ロースター扉３３に接続され、孔部を摺動して前後方向に移動可能な一対の棒状のシャフト５０と、を備えたものである。【選択図】図６
2016186390.tif 000002
【特許請求の範囲】
【請求項１】
前面開口部を有し、加熱室を形成するロースター筐体と、
前記ロースター筐体の前記前面開口部の開閉を行うロースター扉と、
前記加熱室内を加熱する加熱手段と、
前記加熱室内に収納される受け皿と、
前記ロースター扉と連動し、前記受け皿を保持する受け皿保持部材と、
前後方向に貫通した孔部を有する一対の摺動ガイドと、
前記ロースター扉に接続され、前記孔部を摺動して前後方向に移動可能な一対の棒状のシャフトと、を備えた
ことを特徴とする加熱調理器。
【請求項２】
前記摺動ガイドは前記加熱室外に設けられている
ことを特徴とする請求項１に記載の加熱調理器。
【請求項３】
前記摺動ガイドは前記加熱室内に設けられている
ことを特徴とする請求項１に記載の加熱調理器。
【請求項４】
前記シャフトと前記摺動ガイドの前記孔部との間の隙間は、
前記シャフトの摺動時、
前記シャフトに付着した異物を前記摺動ガイドの端部で除去することが可能な大きさである
ことを特徴とする請求項１〜３のいずれか一項に記載の加熱調理器。
【請求項５】
前記ロースター筐体を収納し、下面が設置面である筐体を備え、
前記摺動ガイドの前記孔部は、
後方側において、下面は前記設置面に対して平行であるが、上面は後方に行くにつれて前記設置面に対して上方に傾斜しており、
前方側において、上面は前記設置面に対して平行であるが、下面は前方に行くにつれて前記設置面に対して下方に傾斜している
ことを特徴とする請求項１〜３のいずれか一項に記載の加熱調理器。
【請求項６】
前記シャフトは、後方から前記ロースター扉に向かって、下方に傾斜するよう湾曲形状である
ことを特徴とする請求項５に記載の加熱調理器。
【請求項７】
前記摺動ガイドは、耐熱性、耐油性、耐摩耗性のうち、少なくとも一つの特性を有する樹脂で形成されている
ことを特徴とする請求項１〜６のいずれか一項に記載の加熱調理器。
【発明の詳細な説明】
【技術分野】
【０００１】
本発明は、ロースターを備えた加熱調理器に関するものである。
【背景技術】
【０００２】
従来、ロースターを備えた加熱調理器において、ロースター扉の前後方向の開閉動作に連動して受け皿が出し入れされるものがある。
その一つとして、棒状のシャフトを用いた構造により、ロースター扉の開閉を行っているものがあるが、ロースター扉の開閉時、つまりシャフトの摺動時に騒音が発生してしまうという課題があった。そこで、ロースター扉の開閉時の騒音の発生を抑制したものが提案されている（たとえば、特許文献１参照）。
【０００３】
特許文献１は、本体と、本体前面に開口部を有し、内部に収納された調理物を加熱する加熱体を内蔵したロースター筐体と、ロースター筐体の開口部の内壁周囲に嵌め込まれ、本体に固定される前面パネルと、ロースター筐体の開口部の開閉を行うロースター扉と、ロースター筐体に収納される受け皿と、受け皿を保持する受け皿保持部と、ロースター筐体の外側に設けられ、受け皿保持部と連動する可動体と、可動体を保持し、かつ可動体を摺動させるとともに本体内部に固定する固定体とを具備する少なくとも１対のスライドレールとを備え、スライドレールは、ロースター筐体の下方に取り付けられるスライドレール保持体に固定され、ロースター筐体をスライドレール保持体の上方からスライドレール保持体と相互に位置決めされて固定されるものである。
【先行技術文献】
【特許文献】
【０００４】
【特許文献１】特開２００６−３２９５２０号公報
【発明の概要】
【発明が解決しようとする課題】
【０００５】
特許文献１は、スライドレールを用いた構造により、円滑なロースター扉の開閉を可能にし、開閉時の騒音の発生を抑制しているが、シャフトを用いた構造に比べ、部品コストおよび組立コストがかかってしまうという課題があった。
【０００６】
本発明は、以上のような課題を解決するためになされたもので、部品コストおよび組立コストを低減しつつ、ロースター扉の開閉時の騒音の発生を抑制した加熱調理器を提供することを目的としている。
【課題を解決するための手段】
【０００７】
本発明に係る加熱調理器は、前面開口部を有し、加熱室を形成するロースター筐体と、前記ロースター筐体の前記前面開口部の開閉を行うロースター扉と、前記加熱室内を加熱する加熱手段と、前記加熱室内に収納される受け皿と、前記ロースター扉と連動し、前記受け皿を保持する受け皿保持部材と、前後方向に貫通した孔部を有する一対の摺動ガイドと、前記ロースター扉に接続され、前記孔部を摺動して前後方向に移動可能な一対の棒状のシャフトと、を備えたものである。
【発明の効果】
【０００８】
本発明に係る加熱調理器によれば、シャフトおよび摺動ガイドを用いた構造により、スライドレールの構造よりも部品点数が少なく、組み立て工数の少ないため、部品コストおよび組立コストを低減することができ、また、円滑なロースター扉の開閉が可能である。
【図面の簡単な説明】
【０００９】
【図１】本発明の実施の形態１に係る加熱調理器の斜視図である。
【図２】図１に記載のロースター扉を引き出した状態を示す斜視図である。
【図３】図２のＡ−Ａ断面図である。
【図４】図２のＢ−Ｂ断面図である。
【図５】本発明の実施の形態１に係る加熱調理器の前方の斜視図である。
【図６】図５から前面パネルを省略した図である。
【図７】図６からロースター筐体を省略した図である。
【図８】図７から上部ユニットを省略した図である。
【図９】本発明の実施の形態１に係る加熱調理器の側面模式図である。
【図１０】本発明の実施の形態２に係る加熱調理器の前方の斜視図である。
【図１１】図１０から前面パネルを省略した図である。
【図１２】図１１からロースター筐体を省略した図である。
【図１３】図１２から上部ユニットを省略した図である。
【図１４】本発明の実施の形態２に係る加熱調理器の扉が引き出される前の状態における側面模式図である。
【図１５】本発明の実施の形態２に係る加熱調理器の扉が引き出された後の状態における側面模式図である。
【図１６】本発明の実施の形態３に係る加熱調理器の前方の斜視図である。
【図１７】図１６から前面パネルを省略した図である。
【図１８】図１７から筐体および上部ユニットを省略した図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。なお、以下において、上下左右方向および前後方向は、加熱調理器を正面視した状態における方向であるものとする。
【００１１】
実施の形態１．
図１は、本発明の実施の形態１に係る加熱調理器１００の斜視図であり、図２は、図１に記載のロースター扉３３を引き出した状態を示す斜視図であり、図３は、図２のＡ−Ａ断面図であり、図４は、図２のＢ−Ｂ断面図であり、図５は、本発明の実施の形態１に係る加熱調理器１００の前方の斜視図であり、図６は、図５から前面パネル２３を省略した図であり、図７は、図６からロースター筐体３２を省略した図である。
【００１２】
本実施の形態１に係る加熱調理器１００は、図１および図２に示すように、天板１１および表示部１５を有する上部ユニット１０と、筐体２１、ロースター３０および操作部２４を有する下部ユニット２０と、を備えている。ユーザーは、前面パネル２３に設けられた操作部２４を操作して、たとえば、調理メニューの選択および加熱手段の制御などを行うことができる。表示部１５は、加熱調理器１００の動作状態、操作部２４への入力内容などを表示するとともに、ユーザーに加熱調理器１００の状態などを報知する報知手段である。なお、操作部２４は上部ユニット１０に設けられていてもよいし、表示部１５は、下部ユニット２０に設けられてもよい。
【００１３】
上部ユニット１０は、図３に示すように、天板１１の下側に加熱手段１６を有する。加熱手段１６は、たとえば誘導加熱コイルである。天板１１の加熱手段１６に対応した位置には、調理容器の載置部１２、１３、１４が設けられている。ユーザーは、載置部１２、１３、１４に調理容器を載置して、調理を行うことができる。天板１１の後方には、図１および図２に示すように、吸気口１７および排気口１８が設けられており、これらの上面には、スリット形状のカバー（図示せず）が設置されている。
【００１４】
下部ユニット２０のロースター３０は、図３〜図６に示すように、加熱室３１を形成し、前面開口部３２ａを有する略箱体形状のロースター筐体３２と、前面開口部３２ａの開閉を行うロースター扉３３を、を有する。ユーザーは、図２に示すように、ロースター扉３３に設けられた取っ手３３ａを持って、ロースター扉３３を前方に引き出すことによって、ロースター筐体３２の前面開口部３２ａが開き、加熱室３１内に収納された受け皿３４および受け皿３４の上に載置された焼き網３５を引き出すことができる。また、ユーザーは、ロースター扉３３を後方に押し込むことによって、受け皿３４および焼き網３５を、加熱室３１内に収納することができる。ロースター扉３３を後方に押し込んで、受け皿３４および焼き網３５を加熱室３１内に収納すると、ロースター扉３３は、ロースター筐体３２の前面開口部３２ａを閉じる。
【００１５】
さらに、ロースター３０は、図３に示すように、上ヒータ３６、下ヒータ３７、および庫内温度検出手段３８を有する。加熱手段である上ヒータ３６および下ヒータ３７は、たとえば、抵抗発熱体のシーズヒータであり、加熱室３１の内部に設置されている。上ヒータ３６および下ヒータ３７は、たとえば、ＯＮ状態（通電状態）とＯＦＦ状態（非通電状態）とを切り替えて通電率（デューティー比）を変更することによって、火力を調整することができる。なお、上ヒータ３６および下ヒータ３７の火力調整は、電圧を変更することによって行ってもよい。
【００１６】
上ヒータ３６は、焼き網３５の上方に設置され、加熱室３１を上方から加熱するものである。下ヒータ３７は、焼き網３５の下方に設置され、加熱室３１を下方から加熱するものである。上ヒータ３６および下ヒータ３７は、幅方向（左右方向）および奥行き方向（前後方向）に複数回折り曲げられた形状を有しており、加熱室３１内を広範囲に好適に加熱することができる。なお、上ヒータ３６および下ヒータ３７は、それぞれ単一のヒータによって構成される必要はなく、そのいずれか、または双方が複数のヒータによって構成されてもよい。
【００１７】
庫内温度検出手段３８は、加熱室３１内の温度を検出するものである。庫内温度検出手段３８は、たとえば、熱電対で構成され、上ヒータ３６と下ヒータ３７との間で、加熱室３１の後方から前方に向かって突出するように設置される。庫内温度検出手段３８は、好適には、被加熱物が載置される焼き網３５の載置面の上側で、被加熱物と同じ高さとなる位置に設置される。
【００１８】
加熱室３１内には、受け皿３４および受け皿３４の上に載置される焼き網３５が収納されている。また、受け皿３４を保持する受け皿保持部材３９が設けられている。受け皿保持部材３９の一端はロースター扉３３に接続されており、ロースター扉３３を前方に引き出すと、ロースター扉３３に接続された受け皿保持部材３９も前方に引き出されるようになっている。
【００１９】
なお、本実施の形態１では、受け皿保持部材３９をロースター扉３３に接続したが、それに限定されず、シャフト５０に接続してもよく、ロースター扉３３の動きと連動するようになっていればよい。
【００２０】
筐体２１は、略箱体形状を有し、ロースター筐体３２を収納する。また、上面は天板１１を載置する面となっており、下面は加熱調理器１００の設置面となっている。
【００２１】
加熱室３１の外部でロースター筐体３２の下方には、図３〜図７に示すようにロースター３０の前後方向に延び、左右一対となるようにシャフト５０が設けられている。また、筐体２１の下面の前方側には、前後方向に貫通した孔部５１ａを内部に有し、その孔部５１ａをシャフト５０が摺動する摺動ガイド５１が左右一対に設けられている。つまり、シャフト５０は、摺動ガイド５１の内部に形成された孔部５１ａを摺動して前後方向に移動可能となっている。
【００２２】
なお、本実施の形態１では、摺動ガイド５１は左右一対に設けられているとしたが、それに限定されず、前後方向に複数設けてもよい。また、摺動ガイド５１は、筐体２１の下面の前方側に設けられているとしたが、それに限定されない。
【００２３】
また、摺動ガイド５１の一側面にはリブ５１ｂが設けられており、リブ５１ｂに形成されたネジ孔（図示せず）の位置を、筐体２１の下面に形成されたネジ孔（図示せず）の位置と合わせ、それらにネジを通し、ネジで固定している。
【００２４】
シャフト５０は、真っ直ぐな棒状で、断面が摺動ガイド５１の孔部５１ａの形状と同じ円形状を有し、ステンレス、ニッケルメッキを施した鉄などの、サビに強い金属で形成されている。
摺動ガイド５１は、正面視して半円筒形状を有し、耐熱性、耐油性、または（および）、耐摩耗性に優れた樹脂（たとえば、ＰＥＴ、ＰＰＳ、ＰＦＡなど）で形成されている。それは、ロースター８内部およびその周辺は調理中に高温となり、油が付着するため、および、ロースター扉３３の前後方向の開閉時にシャフト５０が摺動することにより摩耗するため、それら要因による摺動ガイド５１の劣化を抑制するためである。なお、摺動ガイド５１を、ステンレス、ニッケルメッキを施した鉄などの、サビに強い金属で形成してもよい。また、摺動ガイド５１の孔部５１ａは、正面視して円形状を有している。
【００２５】
なお、シャフト５０の断面および摺動ガイド５１の孔部５１ａを円形状としたが、それに限定されず、たとえば半円形状など、摺動性のよい形状であれば他の形状でもよい。また、摺動ガイド５１の形状を半円筒形状としたが、それに限定されず、他の形状でもよい。
【００２６】
図８は、図７から上部ユニット１０を省略した図である。
図８に示すように、シャフト５０の後方の一端は、他のシャフト５０の後方の一端と連結されており、そのシャフト５０同士の連結部５２が摺動ガイド５１の（後方側の）端部に引っ掛かってロースター扉３３が筐体２１から外れないようになっている。そのため、摺動ガイド５１の前後方向の長さは、長すぎるとロースター扉３３を十分に引き出す前にシャフト５０同士の連結部５２が摺動ガイド５１の端部に引っ掛かってしまい、また、短すぎると摺動性が悪化してしまう。そこで、そうならない適切な長さになっている。
【００２７】
なお、本実施の形態１では、シャフト５０の後方の一端は、他のシャフト５０の後方の一端と連結されているとしたが、それに限定されず、他のシャフト５０と連結しなくてもよい。その場合は、シャフト５０の後方の一端を折り曲げて、摺動ガイド５１の端部に引っ掛かってロースター扉３３が筐体２１から外れないようにするとよい。
【００２８】
また、シャフト５０の前方側の一端は、ロースター扉３３と接続されている。そして、ロースター扉３３を前方に引き出すと、ロースター扉３３に接続されたシャフト５０が摺動ガイド５１の孔部５１ａに沿って摺動し、ロースター扉３３に接続された受け皿保持部材３９も前方に引き出されるようになっている。
【００２９】
図９は、本発明の実施の形態１に係る加熱調理器１００の側面模式図である。
図９に示すように、摺動ガイド５１の孔部５１ａは、前後方向に、設置面（筐体２１の下面）に対して平行に形成されている。また、孔部５１ａの直径は、シャフト５０が摺動時に引っ掛からない程度に、シャフト５０の直径よりも大きくなっている。
ここで、加熱調理器１００の内部の回路基板（図示せず）および加熱手段１６などを冷却するため、換気ファン（図示せず）を駆動することがあるが、その際に、調理中に発生した油煙および水蒸気などの異物が加熱調理器１００の内部に吸引される。そのため、本実施の形態１では、シャフト５０が加熱室３１の外部に設けられているが、シャフト５０に異物が付着することがある。
【００３０】
そこで、シャフト５０と摺動ガイド５１の孔部５１ａとの間の隙間を、シャフト５０の摺動時に、調理中にシャフト５０に付着した上記異物を摺動ガイド５１の端部で除去できる程度の大きさとしている。つまり、シャフト５０と摺動ガイド５１の孔部５１ａとの間の隙間は小さくなっている。
【００３１】
また、シャフト５０は摺動ガイド５１の孔部５１ａを摺動して前後方向に移動するようになっているため、摺動ガイド５１がない場合に比べ、摺動性を向上させつつ、ロースター扉３３の開閉時（シャフト５０の摺動時）の騒音を抑制することができる。なお、摺動ガイド５１を樹脂で形成することにより、上記騒音を抑制する効果をより高めることができる。
【００３２】
以上のように、本実施の形態１に係る加熱調理器１００によれば、シャフト５０および摺動ガイド５１を用いてロースター扉３３の開閉を行う構造としており、従来のスライドレールを用いた構造に比べ、部品点数を少なくし、構造を簡素化できるため、組み立て工数を少なくすることができるとともに、軽量化できる。そのため、部品コストおよび組立コストを低減することができる。また、シャフト５０は、摺動ガイド５１に沿って前後方向に摺動するため、円滑なロースター扉３３の開閉が可能となり、ロースター扉３３の開閉時（シャフト５０の摺動時）の騒音を抑制することができる。
【００３３】
また、シャフト５０と摺動ガイド５１の孔部５１ａとの間の隙間を小さくすることにより、シャフト５０の摺動時に、調理中にシャフト５０に付着した異物を摺動ガイド５１の端部で除去することができる。また、シャフト５０および摺動ガイド５１を加熱室３１の外部に設けることで、シャフト５０に異物が付着しづらく、汚れにくくすることができる。また、調理中において加熱室３１の外部は内部ほど高温にならないため、摺動ガイド５１を樹脂で形成した場合の劣化を抑制することができる。
【００３４】
実施の形態２．
以下、本発明の実施の形態２について説明するが、実施の形態１と重複するものについては（一部の）説明を省略し、実施の形態１と同じ部分または相当する部分には同じ符号を付す。
図１０は、本発明の実施の形態２に係る加熱調理器の前方の斜視図であり、図１１は、図１０から前面パネル２３を省略した図であり、図１２は、図１１からロースター筐体３２を省略した図であり、図１３は、図１２から上部ユニット１０を省略した図であり、図１４は、本発明の実施の形態２に係る加熱調理器の扉が引き出される前の状態における側面模式図であり、図１５は、本発明の実施の形態２に係る加熱調理器の扉が引き出された後の状態における側面模式図である。
【００３５】
本実施の形態２では、実施の形態１と摺動ガイド６１の孔部６１ａの形状が異なっている。
本実施の形態２に係る摺動ガイド６１の孔部６１ａは、図１０〜図１３に示すように、正面視して上下方向に長軸を有する楕円形状である。また、図１４および図１５に示すように、孔部６１ａは前後方向に、設置面（筐体２１の下面）に対して傾斜して形成されている。具体的には、後方側の孔部６１ａ１において、下面は設置面に対して平行であるが、上面は後方に行くにつれて設置面に対して上方に傾斜している。また、前方側の孔部６１ａ２において、上面は設置面に対して平行であるが、下面は前方に行くにつれて設置面に対して下方に傾斜している。なお、シャフト６０については、実施の形態１と同様である。
【００３６】
そして、図１０〜図１５に示すように、ロースター扉３３を前方に引き出すにつれて、ロースター扉３３の位置が下がるようになっている。これは、摺動ガイド６１の孔部６１ａが、上記の形状となっているためであり、ロースター扉３３を前方に引き出すにつれてシャフト６０が、前方に行くにつれて設置面に対して下方に傾斜した孔部６１ａに沿って摺動するためである。さらに、ロースター扉３３の自重のためである。
【００３７】
このように、ロースター扉３３を前方に引き出すにつれて、ロースター扉３３の位置が下がるようになっているため、ロースター扉３３を引き出しやすく、さらに、ロースター扉３３の位置が下がるにつれて焼き網３５の位置も下がるため、焼き網３５に載置された調理物の取り出しが容易となる。
【００３８】
また、反対に、ロースター扉３３を後方に押し込むにつれて、ロースター扉３３の位置が上がるようになっている。これは、摺動ガイド６１の孔部６１ａが、上記の形状となっているためであり、ロースター扉３３を後方に押し込むにつれてシャフト６０が、後方に行くにつれて設置面に対して上方に傾斜した孔部６１ａに沿って摺動するためである。そして、ロースター扉３３でロースター筐体３２の前面開口部３２ａを閉じた状態では、ロースター扉３３の位置は元の高さに戻るようになっている。
【００３９】
なお、シャフト６０を真っ直ぐな棒状ではなく、摺動ガイド６１の孔部６１ａの形状に合わせ、後方からロースター扉３３に向かって、下方に傾斜するように（湾曲形状に）形成してもよく、そうすることで、シャフト６０と摺動ガイド６１との摺動性を向上させることができる。
【００４０】
以上のように、本実施の形態２に係る加熱調理器によれば、摺動ガイド６１の孔部６１ａは、前後方向に、設置面（筐体２１の下面）に対して傾斜して形成されている。そして、ロースター扉３３を前方に引き出すにつれて、ロースター扉３３の位置が下がるようになっているが、ロースター扉３３の位置が下がっても、焼き網３５の位置は下がらず、水平状態を保ったまま外まで引き出されるようになっている。そのため、焼き網３５に載置された調理物の取り出しが容易となる。
【００４１】
実施の形態３．
以下、本発明の実施の形態３について説明するが、実施の形態１と重複するものについては（一部の）説明を省略し、実施の形態１と同じ部分または相当する部分には同じ符号を付す。
図１６は、本発明の実施の形態３に係る加熱調理器の前方の斜視図であり、図１７は、図１６から前面パネル２３を省略した図であり、図１８は、図１７から筐体２１および上部ユニット１０を省略した図である。
【００４２】
本実施の形態３では、実施の形態１とシャフト７０および摺動ガイド７１が設けられている位置が異なっている。
本実施の形態３に係るシャフト７０は、図１６〜図１８に示すように、加熱室３１の内部の下方に左右一対に設けられている。また、摺動ガイド７１は、ロースター筐体３２の下面の前方側に左右一対に設けられている。
【００４３】
なお、本実施の形態３では、摺動ガイド７１は左右一対に設けられているとしたが、それに限定されず、前後方向に複数設けてもよい。また、摺動ガイド７１は、ロースター筐体３２の下面の前方側に設けられているとしたが、それに限定されない。
【００４４】
本実施の形態３では、シャフト７０および摺動ガイド７１を加熱室３１の内部に設けることにより、調理中に発生した油煙および水蒸気などの異物に加え、調理物、調理物からの焼汁、油などの異物がシャフト７０に付着してしまうおそれがある。そこで、シャフト７０と摺動ガイド７１の孔部との間の隙間を、シャフト７０の摺動時に、調理中にシャフト７０に付着した上記異物を摺動ガイド７１の端部で除去できる程度の大きさとしている。つまり、シャフト７０と摺動ガイド７１の孔部との間の隙間は小さくなっている。
【００４５】
以上のように、本実施の形態３に係る加熱調理器によれば、シャフト７０と摺動ガイド７１の孔部との間の隙間を小さくすることにより、シャフト７０の摺動時に、調理中にシャフト７０に付着した異物を摺動ガイド７１の端部で除去することができる。また、シャフト７０および摺動ガイド７１を加熱室３１の内部に設けることにより、加熱室３１の外部のスペースを省くことができるため、加熱調理器を小型化することができる。
【符号の説明】
【００４６】
１０  上部ユニット、１１  天板、１２  （左）載置部、１３  （右）載置部、１４  （中央）載置部、１５  表示部、１６  加熱手段、１７  吸気口、１８  排気口、２０  下部ユニット、２１  筐体、２３  前面パネル、２４  操作部、３０  ロースター、３１  加熱室、３２  ロースター筐体、３２ａ  前面開口部、３３  ロースター扉、３３ａ  取っ手、３４  受け皿、３５  焼き網、３６  上ヒータ、３７  下ヒータ、３８  庫内温度検出手段、３９  受け皿保持部材、５０  シャフト、５１  摺動ガイド、５１ａ  孔部、５１ｂ  リブ、５２  連結部、６０  シャフト、６１  摺動ガイド、６１ａ  孔部、６１ａ１  （後方側）孔部、６１ａ２  （前方側）孔部、７０  シャフト、７１  摺動ガイド、１００  加熱調理器。
【図１】
2016186390.tif 000003
【図２】
2016186390.tif 000004
【図３】
2016186390.tif 000005
【図４】
2016186390.tif 000006
【図５】
2016186390.tif 000007
【図６】
2016186390.tif 000008
【図７】
2016186390.tif 000009
【図８】
2016186390.tif 000010
【図９】
2016186390.tif 000011
【図１０】
2016186390.tif 000012
【図１１】
2016186390.tif 000013
【図１２】
2016186390.tif 000014
【図１３】
2016186390.tif 000015
【図１４】
2016186390.tif 000016
【図１５】
2016186390.tif 000017
【図１６】
2016186390.tif 000018
【図１７】
2016186390.tif 000019
【図１８】
2016186390.tif 000020